(57)【要約】      （修正有）【課題】本考案は、既設のビル等の室内箇所において天井又は壁の一部を剥がしたり、破損させる場合において、部屋内に存在する電子機器又は電子機器関連部材を保護する養正台を提供する。【解決手段】一対の枠体１，１の対向する両側部１ａ，１ａを折り畳み自在にして軸支２したこと。左右側の軸支２，２間は空間として形成したこと。前記一対の枠体１，１間にはストッパ部材３を設けた。前記両枠体１，１の頂部１ｂ，１ｂに天板５を載置固定可能にしてなる。該天板５の前後には垂下縁５ｂ，５ｂを形成したこと。該垂下縁５ｂ，５ｂの両側をそれぞれ挟持する固定補助具６ａと可動補助具６ｂとを前記枠体１頂部１ｂに設けてなる。【選択図】図１
0003110266.tif 000002
【実用新案登録請求の範囲】
【請求項１】
一対の枠体の対向する両側部を折り畳み自在にして軸支し、左右側の軸支間は空間として形成してなり、前記両枠体の頂部に載置固定する天板とからなることを特徴とする養生台。
【請求項２】
一対の枠体の対向する両側部を折り畳み自在にして軸支し、左右側の軸支間は空間として形成し、前記一対の枠体間にはストッパ部材を設け、前記両枠体の頂部に天板を載置固定可能にしてなり、該天板の前後には垂下縁を形成したことを特徴とする養生台。
【請求項３】
一対の枠体の対向する両側部を折り畳み自在にして軸支し、左右側の軸支間は空間として形成し、前記一対の枠体間にはストッパ部材を設け、前記両枠体の頂部に天板を載置固定可能にしてなり、該天板の前後には垂下縁を形成し、該垂下縁の両側をそれぞれ挟持する固定補助具と可動補助具とを前記枠体頂部に設けてなることを特徴とする養生台。
【請求項４】
一対の枠体の対向する両側部を折り畳み自在にして軸支し、左右側の軸支間は空間として形成し、前記一対の枠体間にはストッパ部材を設け、前記両枠体の頂部に天板を載置固定可能にしてなり、該天板の前後には垂下縁を形成し、該垂下縁の両側をそれぞれ挟持する固定補助具と可動補助具とを前記枠体頂部に設けてなり、前固定補助具と可動補助具とを、それぞれドーナツ状で、且つ硬質ゴム系の材質としたことを特徴とする養生台。
【考案の詳細な説明】
【技術分野】
【０００１】
本考案は、既設のビル等の室内箇所において天井又は壁の一部を剥がしたり、破損させる場合において、部屋内に存在する電子機器又は電子機器関連部材を保護する養生台に関する。
【背景技術】
【０００２】
近時、ＯＡ化の進歩と空調の整備等によって、既設のビル等の室内箇所における空調関係の工事が盛んに行われている。このとき、天井又は壁の一部を剥がしたり、破損させる場合でも、会社の仕事の休日に行い、一般会社の机上をそのままにしてり、或いは、一箇所に電子機器又は電子機器関連部材をまとめて置くこともある。その机上に、パソコン機器、サーバ等が載っているときは、一般的に、パソコン機器、サーバ等の電子機器上にシートを被せ、且つ該シートの端から塵埃等が入らないように接着テープ等で密封状にしている。また、一箇所に電子機器又は電子機器関連部材をまとめて置いたときでも、シートの被せと接着テープ密封作業である。この作業は、電子機器又は電子機器関連部材の破損等を防止するためであり、業者等では、「養生作業」と称している。
【特許文献１】特開平１１−０３００４１号公報
【特許文献２】特開平０４−３６１８７７号公報
【考案の開示】
【考案が解決しようとする課題】
【０００３】
特許文献１では、防護用養生シート体として鉄塔に着脱自在に設けられた構成であり、大がかりな足場を不要としてものであり、室内用とは異なっている。また、特許文献２では、養生シートの簡単に取り付けることができる取付用固定金具が記載されているのみであり、公知例として、室内の電子機器又は電子機器関連部材の破損等を防止するためのあ養生部材であって、シート以外の構成は存在しなかった。
【０００４】
そのような養生シートでは、天井又は壁の一部の部材が落下したり、或いは工事人の工具等が誤って落下した場合、シートの下の電子機器又は電子機器関連部材が破損する事故がしばしば発生している。このため、本考案が解決しようとする課題（技術的課題又は目的等）は、天井又は壁の一部の部材が落下したり、或いは工事人の工具等が誤って落下した場合でも、電子機器又は電子機器関連部材を保護することである。
【課題を解決するための手段】
【０００５】
そこで、考案者は上記課題を解決すべく鋭意，研究を重ねた結果、請求項１の考案を、一対の枠体の対向する両側部を折り畳み自在にして軸支し、左右側の軸支間は空間として形成してなり、前記両枠体の頂部に載置固定する天板５とからなることを特徴とする養生台としたことにより、前記課題を解決した。また、請求項２の考案を、一対の枠体の対向する両側部を折り畳み自在にして軸支し、左右側の軸支間は空間として形成し、前記一対の枠体間にはストッパ部材を設け、前記両枠体の頂部に天板を載置固定可能にしてなり、該天板の前後には垂下縁を形成したことを特徴とする養生台としたことにより、前記課題を解決した。
【０００６】
請求項３の考案を、一対の枠体の対向する両側部を折り畳み自在にして軸支し、左右側の軸支間は空間として形成し、前記一対の枠体間にはストッパ部材を設け、前記両枠体の頂部に天板を載置固定可能にしてなり、該天板の前後には垂下縁を形成し、該垂下縁の両側をそれぞれ挟持する固定補助具と可動補助具とを前記枠体頂部に設けてなることを特徴とする養生台としたことにより、前記課題を解決した。
【０００７】
また、請求項４の考案を、一対の枠体の対向する両側部を折り畳み自在にして軸支し、左右側の軸支間は空間として形成し、前記一対の枠体間にはストッパ部材を設け、前記両枠体の頂部に天板を載置固定可能にしてなり、該天板の前後には垂下縁を形成し、該垂下縁の両側をそれぞれ挟持する固定補助具と可動補助具とを前記枠体頂部に設けてなり、前固定補助具と可動補助具とを、それぞれドーナツ状で、且つ硬質ゴム系の材質としたことを特徴とする養生台としたことにより、前記課題を解決したものである。
【考案の効果】
【０００８】
請求項１の考案においては、良好な養生ができると共に、電子機器又は電子機器関連部材を保護することができる。また、請求項２の考案においては、さらに強固に保護できることができる。さらに、請求項３の考案においては、特に強固なる保護ができる。また、請求項４の考案では、天板の取付を簡易且つ強固にできる。
【考案を実施するための最良の形態】
【０００９】
以下、本考案の実施形態について図面に基づいて説明すると、図１及び図２は設置状態を示し、図３は分解斜視図である。１はコ字状の枠体であって、金属製のパイプにて形成され、両側部１ａ，１ａと頂部１ｂとから構成されている。このような同一形状の一対の枠体１，１が折り畳み自在に構成され、且つ交叉状をなし、対向する前記両側部１ａ，１ａの略中央部又は中央部寄りの箇所が揺動可能に軸支２されている。具体的には、図５（Ｂ）に示すように、前記両側部１ａ，１ａにビスが貫通されナットが螺合されて揺動可能に設けられている。特に、左右の軸支２，２間は、軸としては存在せず、空間として形成されている構成である。
【００１０】
３はストッパ部材であって、該ストッパ部材３の一端３ａが回転自在に設けられ、他端に係止部３ｂが形成され、該係止部３ｂが、前記枠体１，１をクロス状に開いた状態（図３等参照）で、前記側部１ａの中間に設けられた突起４に係止される。前記ストッパ部材３は左右対称に設けられている。該ストッパ部材３の両端を除いて断面Ｌ形に形成され、補強されている。このような構成にすることによって、前記両軸支２，２間は、軸としては存在しなくとも、グラ付き防止機能として役割をなすものである。前記突起４は、具体的には、ボルト部４ａとカラー部４ｂとから構成されている (図６参照）。
【００１１】
５は天板であって、平板５ａの前後（図４において左右側）に垂下縁５ｂ，５ｂが一体形成されている。前記天板５は、ある程度の強度が必要であり、金属製の鉄板又はアルミニウム板にて構成されている。図３及び図４に示すように、前記天板５を前記両枠体１，１の頂部１ｂ，１ｂ上に載置固定するには、両垂下縁５ｂ，５ｂを前記頂部１ｂ，１ｂ箇所に付ける。６ａは固定補助具であって、前記頂部１ｂ，１ｂの一方側［図２（Ａ）において左側］に固定され、６ｂは可動補助具で、前記頂部１ｂ，１ｂの他方側［図２（Ａ）において右側］に固い状態を保持しつつ移動可能に設けられている。この固定補助具６ａ、可動補助具６ｂによって前記天板５の両端を挟み込むようにして固定される。この固定によって天板５と両枠体１，１との一体性が確保されるものである。
【００１２】
具体的には、前記固定補助具６ａと可動補助具６ｂと共に、図８に示すように、ドーナツ状をなし、硬質ゴム系の材質で、前記固定補助具６ａは頂部１ｂに固く固定され、前記可動補助具６ｂは片手できつい状態で移動し得るものとして構成されている。これによって、前記天板５を前記両枠体１，１の頂部１ｂ，１ｂ上に載置した後に、前記固定補助具６ａと可動補助具６ｂとで比較的強固に固定できる。これによって、現場にての使用時に、落下物が天板５に当たっても、天板５が両枠体１，１から外れにくく、本考案の下側に収納した、電子機器又は電子機器関連部材を安全に保護できる。また、本考案の養生台は、この上に乗って作業するものではなく、該養生台で、落下物から電子機器又は電子機器関連部材を安全に保護すれば十分であり、枠体１及び天板５の強度性は、人が乗ることがある机よりは弱く構成され、特に、持ち運びに便利で、軽量であることも要求される。
【００１３】
図中７ａ，７ｂは、図３及び図６に示すように、面ファスナーの雄型ファスナー部、雌型ファスナー部であって、前記枠体１，１が折り畳まれた状態において、前記ストッパ部材３の他端に係止部３ｂ箇所の裏面と、側部１ａとに何れか一方が設けられ、前記ストッパ部材３の無駄な動きを規制している。８はゴムキャップで、前記枠体１，１の両側部１ａ，１ａの下端にそれぞれ設けられている。
【００１４】
前記枠体１は、両側部１ａ，１ａと頂部１ｂとから構成されているが、図３鎖線に示すように、両側部１ａ，１ａと頂部１ｂと底部１ｃとで、ロ字状に構成することもある。このようにロ字状にした場合は、強度性を増加させることができる。５ｃは、前記天板５の平板５ａの左右側に必要に応じて設けた垂下部である。
【図面の簡単な説明】
【００１５】
【図１】本考案の使用状態の斜視図である。
【図２】（Ａ）は本考案の使用状態の正面図、（Ｂ）は（Ａ）の側面図である。
【図３】本考案の分解斜視図である。
【図４】（Ａ）は本考案の一部断面とした側面図、（Ｂ）は（Ａ）の分解側面図である。
【図５】（Ａ）は枠体を折り畳んだ状態の側面図、（Ｂ）は（Ａ）の軸支箇所の断面図である。
【図６】（Ａ）はストッパ部材箇所の斜視図、（Ｂ）は（Ａ）のＸ−Ｘ矢視断面図、（Ｃ）は（Ａ）のＹ−Ｙ矢視断面図、（Ｄ）はストッパ部材の係止部箇所の一部断面とした正面図、（Ｅ）は突起箇所の断面図である。
【図７】（Ａ）は枠体に設けたストッパ部材箇所の斜視図、（Ｂ）はストッパ部材の係止部箇所を止めた斜視図である。
【図８】（Ａ）は枠体に天板を載置固定する状態の正面図、（Ｂ）は可動補助具の動作状態を示す一部斜視図である。
【符号の説明】
【００１６】
１…枠体、１ａ…側部、１ｂ…頂部、２…軸支、３…ストッパ部材、５…天板、
５ｂ…垂下縁、６ａ…固定補助具、６ｂ…可動補助具。
【図１】
0003110266.tif 000003
【図２】
0003110266.tif 000004
【図３】
0003110266.tif 000005
【図４】
0003110266.tif 000006
【図５】
0003110266.tif 000007
【図６】
0003110266.tif 000008
【図７】
0003110266.tif 000009
【図８】
0003110266.tif 000010